(57)【特許請求の範囲】
【請求項１】
内視鏡写真撮影用のフィルムを複数個収納するフィルム収納部の上面に第１の蓋体を有するフィルムケースと、
前記フィルムケースとは別体に設けられ、前記第１の蓋体をフィルムケースから剥離後に前記フィルム収納部のフィルム出し入れ口に係脱可能に係合される複数の係合凸部を有する第２の蓋体と、
前記フィルムケースの前記フィルム収納部の前記フィルム出し入れ口に前記第２の蓋体が係合された使用済みフィルムのパッキング容器を搬送する際に使用される複数の封筒と、
前記フィルムケース、前記第２の蓋体、前記封筒を収納する外箱とを具備し、
前記外箱の内底部に対し前記第２の蓋体の複数の前記係合凸部を上向きに配置した状態で前記フィルムケースの前記フィルム収納部の底部と向かい合わせて、前記第２の蓋体の複数の前記係合凸部間に前記フィルムケースの各前記フィルム収納部の底部が配置されるように、収納したことを特徴とする内視鏡用フィルムの包装体。
【発明の詳細な説明】
【０００１】
【産業上の利用分野】
本発明は内視鏡用スチールカメラ等で使用する内視鏡写真撮影用のフィルムを包装する内視鏡用フィルムの包装体に関する。
【０００２】
【従来の技術】
一般に、内視鏡用スチールカメラ等で使用するフィルムを収納するフィルムケースとしては例えば特開昭６３−１９３１４３号公報に示されているように、有底円筒形の容器本体と、この容器本体の開口部を閉塞する容器キャップとから構成されているものが知られている。この場合、容器本体の開口内縁部には係合溝が形成されているとともに、容器キャップのフランジ部には容器本体の係合溝に嵌合するリブが形成され、この容器キャップが容器本体の開口内縁部に係脱可能に係合されるようになっている。
【０００３】
また、未使用のフィルムは一般的に次のように複数個まとめた状態で市販される。すなわち、アルミ箔と合成樹脂の層からなる略袋状のラミネート材内に上述したフィルムケースが複数個まとめて密封収納されている。さらに、フィルムケースを複数個まとめてラミネート材内に収納して形成されたフィルムパックは複数個まとめて１つの箱に収納されている。
【０００４】
そして、上記従来品を使用する場合にはフィルムパックの収納箱からフィルムパックを１つずつ取出し、取り出されたフィルムパックのラミネート材を開封してフィルムケースを取出したのち、フィルムケースの容器キャップを外し、このフィルムケースから未使用のフィルムを取出して使用するようにしている。
【０００５】
また、使用後の撮影済みのフィルムはフィルムケースに再収納され、このフィルムケースに容器キャップが嵌められて閉じられたのち、搬送用封筒または前記収納箱内に収められた状態で、例えば現像所等の適宜の現像施設に搬送されている。
【０００６】
【発明が解決しようとする課題】
上記従来構成のものにあっては市販品の未使用フィルムを使用する場合にはフィルムパックのラミネート材を開封し、さらにフィルムケースから容器キャップを外す面倒な作業が必要となっている。このため大量にフィルムを使用する大手病院等では市販品の未使用フィルムをパッケージから取出す作業に非常な労力と時間がかかる問題がある。
【０００７】
本発明は上記事情に着目してなされたもので、その目的は、外箱内への内容物の収納時に内容物の重なりの高さを低くして外箱全体の大きさを小さくでき、かつ、大量にフィルムを使用する場合であっても未使用フィルムをパッケージから取出す作業を容易化することができるとともに、使用済みのフィルムの搬送作業を容易化することができる内視鏡用フィルムの包装体を提供することにある。
【０００８】
【課題を解決するための手段】
本発明は内視鏡写真撮影用のフィルムを複数個収納するフィルム収納部の上面に第１の蓋体を有するフィルムケースと、前記フィルムケースとは別体に設けられ、前記第１の蓋体をフィルムケースから剥離後に前記フィルム収納部のフィルム出し入れ口に係脱可能に係合される複数の係合凸部を有する第２の蓋体と、前記フィルムケースの前記フィルム収納部の前記フィルム出し入れ口に前記第２の蓋体が係合された使用済みフィルムのパッキング容器を搬送する際に使用される複数の封筒と、前記フィルムケース、前記第２の蓋体、前記封筒を収納する外箱とを具備し、前記外箱の内底部に対し前記第２の蓋体の複数の前記係合凸部を上向きに配置した状態で前記フィルムケースの前記フィルム収納部の底部と向かい合わせて、前記第２の蓋体の複数の前記係合凸部間に前記フィルムケースの各前記フィルム収納部の底部が配置されるように、収納したことを特徴とする内視鏡用フィルムの包装体である。
【０００９】
【作用】
外箱内に各内容物を収納する際には、外箱の内底部から複数の封筒、係合凸部を上向きに配置された状態の第２の蓋体、上面に第１の蓋体を有するフィルムケースの順に、順次収納する。これにより、外箱の開封前は上向きに配置された第２の蓋体の複数の係合凸部間にフィルムケースの各フィルム収納部の底部を配置させることにより、外箱内への内容物の収納時に内容物の重なりの高さを低くして外箱全体の大きさを小さくできる。また、未使用フィルムを使用する場合には外箱を開くことにより、この外箱内の最上部のフィルムケースを取出し、このフィルムケースから複数のフィルムを取出す。さらに、使用済みのフィルムの搬送作業時にはフィルムケースが取出された後の外箱から複数の係合凸部を有する第２の蓋体および搬送用封筒を順に取出し、フィルムケース内に使用済みのフィルムを収納した状態で、このフィルムケースのフィルム出し入れ口に第２の蓋体の複数の係合凸部を係合させて使用済みフィルムのパッキング容器を形成し、このパッキング容器を搬送用封筒、または外箱を使用して搬送するようにしたものである。
【００１０】
【実施例】
以下、本発明の第１の実施例を図１乃至図３（Ｄ）を参照して説明する。図１は内視鏡用フィルム１の包装体２全体の概略構成を示すものである。図１中で、参照符号３は包装体２の化粧箱（外箱）である。この化粧箱３には例えば紙、ダンボール等からなる箱本体３ａの上面に開口部４が形成されている。さらに、箱本体３ａにはこの上面開口部４を閉塞する上蓋部５が設けられている。
【００１１】
また、化粧箱３内には内視鏡写真撮影用のフィルム１を複数個収納するフィルムケース６と、このフィルムケース６に形成されたフィルム１の出し入れ口６ａに係脱可能に係合される透明色の蓋体７と、フィルムケース６のフィルム出し入れ口６ａに蓋体７が係合された使用済みフィルムのパッキング容器を搬送する際に使用される複数の封筒８とが収納されている。ここで、化粧箱３内の各内容物は図２に示すようにこの化粧箱３の内底部から複数の封筒８、蓋体７、フィルムケース６の順に順次収納されている。
【００１２】
また、フィルムケース６のケース本体９は例えばポリプロピレン樹脂、または炭酸カルシウムを含有したポリプロピレン樹脂で成形されている。さらに、このケース本体９には図１に示すように縦横にそれぞれ複数個、例えば縦方向に３個、横方向に４個の凹陥状のフィルム収納部１０が並設されている。そして、各フィルム収納部１０の上面開口部によってフィルム１の出し入れ口６ａが形成されている。
【００１３】
また、ケース本体９の各フィルム収納部１０内に内視鏡用フィルム１が収納された状態で、各フィルム収納部１０の各出し入れ口６ａは密封シート（閉塞部材）１１で閉塞されている。ここで、密封シート１１は複数のプラスチック層とアルミ箔の層からなるラミネート材で成形されている。さらに、密封シート１１のプラスチック層は例えばＰＥＴ、ポリエチレン、ポリスチレン、ポリプロピレン、ＥＶＡ等の合成樹脂材料の組合せで形成されている。そして、この密封シート１１はケース本体９の上面に熱溶着または接着等の手段で固着されており、フィルムケース６はケース本体９と密封シート１１とによって形成されている。
【００１４】
さらに、フィルムケース６のケース本体９および密封シート１１には各フィルム収納部１０間の連結部１２に各フィルム収納部１０間をそれぞれ別個に分離可能に連結する略ミシン目状の断続部１３が形成されている。そして、フィルムケース６をこのミシン目状の断続部１３から切り離すことにより、図３に示すように各フィルム収納部１０をそれぞれ独立に分割可能な構成となっている。
【００１５】
また、蓋体７にはケース本体９の断続部１３と対応する位置に同様の略ミシン目状の断続部１４が形成されている。そして、この蓋体７をミシン目状の断続部１４から切り離すことにより、フィルムケース６のフィルム収納部１０と同数の分離蓋体１５がそれぞれ独立に分割可能な構成となっている。
【００１６】
さらに、蓋体７の各分離蓋体１５にはフィルムケース６の各フィルム収納部１０に係合するための複数の係合凸部１６がそれぞれ突設されている。これらの係合凸部１６は各フィルム収納部１０のフィルム出し入れ口６ａに分離蓋体１５が係脱可能に係合された際に、フィルム出し入れ口６ａの四隅の各角部と対応する位置にそれぞれ配置されている。
【００１７】
さらに、透明色の蓋体７はフィルムケース６のケース本体９と同様に例えばポリプロピレン樹脂、または炭酸カルシウムを含有したポリプロピレン樹脂で成形されている。そして、蓋体７は各分離蓋体１５の複数の係合凸部１６が上向きに配置された状態で化粧箱３内に収納されている。
【００１８】
また、フィルムケース６の各フィルム収納部１０にはフィルム出し入れ口６ａの四隅の各角部に蓋体７の各分離蓋体１５の係合凸部１６と嵌合する凹部１７がそれぞれ形成されている。なお、各凹部１７の側壁部にはフィルム出し入れ口６ａ側の端部に図３（Ｂ）に示すように下方に向かうにしたがって徐々に外側に広がる角度θの傾斜面１７ａが形成されている。この場合、蓋体７の各分離蓋体１５の係合凸部１６にはこの傾斜面１７ａと対応する形状の傾斜面１６ａが形成されている。
【００１９】
さらに、ケース本体９には各収納部１０内の側壁面に補強用の複数のリブ１８がそれぞれ形成されているとともに、内視鏡用フィルム１の形状に合わせて突設された固定台１９が形成されている。
【００２０】
また、化粧箱３にはこの箱本体３ａの上面開口部４を上蓋部５によって閉塞した際に、箱本体３ａに接着される糊代部を備えた接着部２０が上蓋部５の先端部に設けられている。
【００２１】
さらに、図３（Ｃ）に示すように箱本体３ａにおける上蓋部５の接着部２０との接着面２１上には、化粧箱３を構成する紙を貫通しない複数の切り込み部２２が形成されている。そして、化粧箱７の組立て時には化粧箱３内にその内底部から複数の封筒８、蓋体７、フィルムケース６の順に各内容物が順次収納された後、これらの切り込み部２２の上に接着剤が塗布された状態で、図３（Ｄ）に示すように上蓋部５の接着部２０が箱本体３ａの接着面２１に押しつけ固定され、化粧箱７が組み立てられるようになっている。
【００２２】
また、化粧箱３における上蓋部５の先端の接着部２０には上蓋部５を開封するための手掛け用の折り目２３が形成されている。さらに、化粧箱３の表面にはこの化粧箱３の搬送時に使用する宛先の記入欄２４が設けられている。
【００２３】
次に、上記構成の作用について説明する。まず、包装体２内に収納されている未使用フィルム１を使用する場合には化粧箱３の開封作業を行なう。この化粧箱３の開封作業時には化粧箱３の上蓋部５における接着部２０の両側部の内側に手指等を差し込み、接着部２０の両側部を折り目２３から起こす。この状態で、折り目２３から起こした接着部２０の両側部分を手指で引っ張り上げることにより、箱本体３ａの接着面２１の切り込み部２２が上蓋部５の接着部２０側に剥がれ、化粧箱３が開封される。
【００２４】
続いて、開かれた化粧箱３内の最上部のフィルムケース６を取出す。そして、このフィルムケース６から複数の未使用フィルム１を取出して使用する。この未使用フィルム１の使用時には予めフィルムケース６をミシン目状の断続部１４の部分で所望の大きさ（個数）に分割する。次に、密封シート１１をケース本体９から引き剥がして、所望の数の未使用の内視鏡用フィルムを取り出す。
【００２５】
また、使用済みのフィルム１の搬送作業時にはフィルムケース６が取出された後の化粧箱３から蓋体７および搬送用封筒８を順に取出す。続いて、フィルムケース６内に使用済みのフィルム１を再び収納した状態で、このフィルムケース６のフィルム出し入れ口６ａに蓋体７の分離蓋体１５を係合させて使用済みフィルムのパッキング容器を形成する。このとき、予め蓋体７の使用する数の分離蓋体１５だけミシン目状の断続部１４から切り離して使用する。そして、使用済みのフィルム１のパッキング容器は搬送用封筒８、または化粧箱３を使用して搬送される。
【００２６】
そこで、上記構成のものにあっては次の効果を奏する。すなわち、化粧箱３の開封前は化粧箱３内にその内底部から複数の封筒８、蓋体７、フィルムケース６の順に各内容物が順次収納されているので、未使用フィルム１を使用する場合には化粧箱３の開封後、開かれた化粧箱３内の最上部のフィルムケース６を取出して使用することができる。そのため、未使用フィルム１の取り出し作業時に化粧箱３内に同梱されているフィルムケース６以外の封筒８および蓋体７がフィルムケース６の取り出し作業の邪魔になるおそれがない。
【００２７】
さらに、化粧箱３の開封前はフィルムケース６のケース本体９のフィルム１の出し入れ口６ａには蓋体７が係合されていないので、未使用フィルム１の取り出し作業時にフィルムケース６のケース本体９から蓋体７を外したのち未使用フィルム１を取り出す場合に比べてその作業を簡単に行なうことができる。そのため、大量にフィルム１を使用する場合であっても内視鏡用フィルム１の包装体２から未使用フィルム１を取出す作業を従来に比べて容易化することができる。
【００２８】
また、使用後のフィルム１を内視鏡用フィルム１の包装体２に同梱された封筒８や化粧箱３に入れて搬送できるので、使用済みのフィルム１の搬送作業を容易化することができる。
【００２９】
また、化粧箱３の開封前は蓋体７に上向きに配置された各分離蓋体１５の複数の係合凸部１６間にフィルムケース６の各フィルム収納部１０の底部が配置されているので、化粧箱２全体の大きさを小さくできる。
【００３０】
また、フィルムケース６の各フィルム収納部１０にフィルム出し入れ口６ａの四隅の各角部に蓋体７の各分離蓋体１５の係合凸部１６と嵌合する凹部１７をそれぞれ形成したので、蓋体７の各分離蓋体１５をフィルムケース６の各フィルム収納部１０に係合する際には両者をワンタッチで係合させることができる。そのため、簡単な作業で、蓋体７の各分離蓋体１５をフィルムケース６の各フィルム収納部１０に係合させることができる。
【００３１】
また、透明色の蓋体７を設けたので、使用済みのフィルム１をフィルムケース６内に収納した状態でフィルムケース６に蓋体７を係合して使用済みフィルム１のパッキング容器を形成した後、この蓋体７を通してパッキング容器中を目視することにより、パッキング容器中にフィルム１が入っているか否かを直接的に確認できる。このためフィルムケース６内にフィルム１が収納されていない空のパッキング容器を誤ってフィルム１が入っているものとして扱われることを防止することができる。
【００３２】
また、フィルムケース６のケース本体９には縦横にそれぞれ複数個の凹陥状のフィルム収納部１０が並設され、各フィルム収納部１０内にそれぞれフィルム１が収納されるとともに、各フィルム収納部１０のフィルム出し入れ口６ａは密封シート１１によって閉塞され、この密封シート１１をケース本体９から引き剥がして未使用の内視鏡用フィルム１を取り出すようにしているので、フィルムケース６から一度に多数のフィルム１を取り出すことができる。そのため、未使用フィルム１の取り出し作業時に１つのフィルム１毎にそれぞれフィルムケース６のケース本体９から蓋体７を外す作業を行なう場合に比べてその作業を簡単に行なうことができ、作業時間を節約できる。
【００３３】
また、フィルムケース６のケース本体９および蓋体７をポリプロピレン樹脂、または炭酸カルシウムを含有したポリプロピレン樹脂で成形したので、ケース本体９および蓋体７の防湿性を高くすることができる。そのため、ケース本体９内に湿気が入ることを防止することができるので、フィルム１の劣化を防止できる。
【００３４】
また、フィルムケース６の密封シート１１を複数のプラスチック層とアルミ箔の層からなるラミネート材で成形したので、ラミネート材のアルミ箔層によって外光と湿気とを遮断することができ、密封シート１１の遮光性、防湿性を高くすることができる。
【００３５】
また、密封シート１１のプラスチック層をＰＥＴ、ポリエチレン、ポリスチレン、ポリプロピレン、ＥＶＡ等の合成樹脂材料の組合せで形成したので、密封シート１１を加熱することにより、密封シート１１の各プラスチック層を溶解させ、密封シート１１をケース本体９に溶着する際の溶着性も良くすることができる。
【００３６】
また、ケース本体９には各収納部１０内の側壁面に補強用の複数のリブ１８をそれぞれ形成するとともに、内視鏡用フィルム１の形状に合わせて突設された固定台１９を形成したので、ケース本体９の上部から圧縮力が作用した際、リブ１８によってこの圧縮力を受けさせることができる。そのため、ケース本体９の強度を高くすることができる。
【００３７】
また、化粧箱３の箱本体３ａにおける上蓋部５の接着部２０との接着面２１上に化粧箱３を構成する紙を貫通しない複数の切り込み部２２を形成し、化粧箱７の組立て時には化粧箱３内に各内容物が順次収納された後、これらの切り込み部２２の上に接着剤が塗布された状態で、上蓋部５の接着部２０を箱本体３ａの接着面２１に押しつけ固定して化粧箱７を組み立てるようにしたので、化粧箱３の開封時に上蓋部５の接着部２０の折り目２３を持ち上げ、さらに折り目２３と同時に上蓋部５の接着部２０を引き起こした際に、接着面２１上の複数の切り込み部２２の表面部分を上蓋部５の接着部２０側に剥ぎ取らせ、化粧箱３を開封させることができる。そのため、化粧箱３を開封する際、化粧箱３における上蓋部５の接着部２０の一部、または全体が切断されるおそれがないので、化粧箱３の開封後、この化粧箱３を再使用することができる。
【００３８】
なお、使用済みのフィルム１のパッキング容器を化粧箱３を使用して搬送する場合には上蓋部５の接着部２０を化粧箱３内に差し込むことにより、化粧箱３の上蓋部５を閉め、この状態で上蓋部５を粘着テープ等で固定した後、化粧箱３を搬送する。このため化粧箱３の上蓋部５はしっかり固定できるので、使用済みのフィルム１のパッキング容器を化粧箱３を使用して搬送する作業を安全に行なうことができる。
【００３９】
また、化粧箱３における上蓋部５の先端の接着部２０には上蓋部５を開封するための手掛け用の折り目２３を形成したので、化粧箱３の開封作業時には化粧箱３の上蓋部５における接着部２０の両側部の内側に手指等を差し込み、接着部２０の両側部を折り目２３から起こした状態で、折り目２３から起こした接着部２０の両側部分を手指で引っ張り上げることにより、箱本体３ａの接着面２１の切り込み部２２を上蓋部５の接着部２０側に剥がし、化粧箱３を開封させることができ、化粧箱３の開封作業が容易になる。
【００４０】
また、化粧箱３の表面にはこの化粧箱３の搬送時に使用する宛先の記入欄２４を設けたので、使用後のフィルム１を化粧箱３内に収納し、化粧箱３の宛先記入欄２４に宛先を記入した状態で、化粧箱３をそのまま郵送用のポストに投函できる。そのため、使用後のフィルム１が収納された化粧箱３を簡単に搬送することができる。
【００４１】
なお、蓋体７およびフィルムケース６のケース本体９は例えばＰＥＴ、ポリスチレン、ＰＶＣ等の合成樹脂材料で成形されていてもよい。また、蓋体７は黒色であってもよい。
【００４２】
また、図４（Ａ）はフィルムケース６の変形例を示すものである。これは、フィルムケース６の各フィルム収納部１０のフィルム出し入れ口６ａにおける長手方向の略中央部位の両側に各分離蓋体１５を係合する凹部３１を形成するとともに、蓋体７の各分離蓋体１５に各フィルム収納部１０の凹部３１と嵌合する係合凸部３２を突設したものである。この場合にはフィルムケース６の各フィルム収納部１０と蓋体７の各分離蓋体１５との間の係合部の数を少なくすることができ、構成の簡略化を図ることができる。
【００４３】
また図４（Ｂ）はフィルムケース６の蓋体７の変形例を示すものである。これは、蓋体７の各分離蓋体１５を黒色のベース部材１５ａとこのベース部材１５ａの一部に局部的に設けた透明部１５ｂとによって形成したものである。この場合には透明色の蓋体７を使用する場合に比べてフィルムケース６による遮光効果を高めることができる。
【００４４】
また、図５乃至図７（Ａ）は本発明の第２の実施例を示すものである。これは、上記実施例のフィルムケース６の構成を変更したものである。すなわち、ケース本体９の各フィルム収納部１０におけるフィルム出し入れ口６ａの周縁部位の各角部に図５および図６に示すように曲面状の第１のアール部（面取り部）４１を形成し、かつ蓋体７の各分離蓋体１５にはケース本体９の第１のアール部４１と対応する位置にケース本体９の第１の面取り部４１とは異なる大きさの第２のアール部（面取り部）４２を形成したものである。
【００４５】
ここで、図７（Ａ）に示すようにケース本体９の各フィルム収納部１０の第１のアール部４１の円弧の半径Ｒ２は蓋体７の各分離蓋体１５の第２のアール部４２の円弧の半径Ｒ１よりも小さくなるように設定されており、蓋体７の各分離蓋体１５の第２のアール部４２にはケース本体９の各フィルム収納部１０の第１のアール部４１よりも大きい面取り部が形成されている。
【００４６】
そこで、上記構成のものにあってはケース本体９のフィルム収納部１０のフィルム出し入れ口６ａに蓋体７の分離蓋体１５を嵌合させた場合には図７（Ａ）に示すように蓋体７の分離蓋体１５の第２のアール部４２の周縁部位の外側にケース本体９のフィルム収納部１０の第１のアール部４１の周縁部位が突出された状態で保持される。そのため、ケース本体９のフィルム収納部１０のフィルム出し入れ口６ａからここに嵌合されている蓋体７の分離蓋体１５を外す場合にはケース本体９のフィルム収納部１０の第１のアール部４１の周縁部位に作業者が手指を掛け、蓋体７の分離蓋体１５から離れる方向に力を加えることにより、簡単にケース本体９のフィルム収納部１０のフィルム出し入れ口６ａから蓋体７の分離蓋体１５を外すことができる。
【００４７】
さらに、フィルム収納部１０に曲面状の第１のアール部４１および分離蓋体１５に曲面状の第２のアール部４２をそれぞれ形成したので、分離蓋体１５の各端部やフィルム収納部１０の各端部に形成される鋭利な部分をなくすことができる。そのため、フィルムケース６および蓋体７を取り扱う際、分離蓋体１５の各端部やフィルム収納部１０の各端部がその作業者の手に引っ掛かることを防止できるので、作業者に対する安全性を高めることができる。
【００４８】
また、図７（Ｂ）に示す第２の実施例の変形例のようにケース本体９の各フィルム収納部１０の第１のアール部５１の円弧の半径Ｒ４を蓋体７の各分離蓋体１５の第２のアール部５２の円弧の半径Ｒ３よりも大きくなるように設定し、蓋体７の各分離蓋体１５の第２のアール部５２にケース本体９の各フィルム収納部１０の第１のアール部５１よりも大きい面取り部を形成する構成にしてもよい。
【００４９】
また、図８は本発明の第３の実施例を示すものである。これは、上記第１の実施例のフィルムケース６の構成をさらに変更したものである。すなわち、本実施例のフィルムケース６はフィルム収納部１０が縦に２個、横に６組並んだものである。
【００５０】
そこで、上記構成のものにあってはフィルムケース６の中央の図８中に矢印Ａ−Ａで示す部分を分割すると、フィルム収納部１０が６個、すなわち縦に２個、横に３個連結された状態になる。このように縦に２個、横に３個連結された状態の６個のフィルム収納部１０の連結体は搬送用封筒８に入れる際に丁度よい大きさになり、郵送時便利である。
【００５１】
なお、本発明は上記実施例に限定されるものではなく、本発明の要旨を逸脱しない範囲で種々変形実施できることは勿論である。
次に、本発明の特徴的な技術事項を下記の通り付記する。
【００５２】
記
（付記項１）  内視鏡写真撮影用のフィルムを複数個収納するフィルムケースと、このフィルムケースに形成された前記フィルムの出し入れ口に係脱可能に係合される蓋体と、前記フィルムケースのフィルム出し入れ口に前記蓋体が係合された使用済みフィルムのパッキング容器を搬送する際に使用される複数の封筒と、前記フィルムケース、蓋体、封筒を収納する外箱とを具備し、前記外箱の内底部から前記複数の封筒、前記蓋体、前記フィルムケースの順に、前記各内容物を前記外箱内に順次収納したことを特徴とする内視鏡用フィルムの包装体。
【００５３】
（付記項２）  前記蓋体は前記フィルムケースのケース本体に係合するための複数の係合凸部が突設されたものであることを特徴とする付記項１に記載の内視鏡用フィルムの包装体。
【００５４】
（付記項３）  前記蓋体は前記複数の係合凸部が前記外箱内において上向きに配置された状態で収納されたものであることを特徴とする付記項１に記載の内視鏡用フィルムの包装体。
【００５５】
（付記項４）  前記蓋体はその一部または全体が透明であることを特徴とする付記項２に記載の内視鏡用フィルムの包装体。
（付記項５）  前記フィルムケースは複数のフィルム収納部を有するケース本体内に前記内視鏡用フィルムが収納され、前記各フィルム収納部のフィルム出し入れ口は閉塞部材で閉塞されたものであることを特徴とする付記項１に記載の内視鏡用フィルムの包装体。
【００５６】
（付記項６）  前記ケース本体はポリプロピレン樹脂で成形されたものであることを特徴とする付記項５に記載の内視鏡用フィルムの包装体。
（付記項７）  前記ケース本体は炭酸カルシウムを含有したポリプロピレン樹脂で成形されたものであることを特徴とする付記項５に記載の内視鏡用フィルムの包装体。
【００５７】
（付記項８）  前記閉塞部材は複数のプラスチック層とアルミ箔の層からなるラミネート材で成形されたものであることを特徴とする付記項５に記載の内視鏡用フィルムの包装体。
【００５８】
（付記項９）  前記閉塞部材のプラスチック層はＰＥＴ、ポリエチレン、ポリスチレン、ポリプロピレン、ＥＶＡ等の合成樹脂材料の組合せからなるものであることを特徴とする付記項５に記載の内視鏡用フィルムの包装体。
【００５９】
（付記項１０）  前記ケース本体は前記各収納部内に前記蓋体の各係合凸部と嵌合する複数の凹部を設けたものであることを特徴とする付記項５に記載の内視鏡用フィルムの包装体。
【００６０】
（付記項１１）  前記ケース本体は前記各収納部内に補強用の複数のリブを設けたものであることを特徴とする付記項５に記載の内視鏡用フィルムの包装体。（付記項１２）  前記ケース本体は前記各フィルム収納部間をそれぞれ別個に分離可能に連結する略ミシン目状の断続部が前記各フィルム収納部間の連結部に形成され、前記蓋体は前記ケース本体の断続部と対応する位置に同様の断続部が形成されたものであることを特徴とする付記項５に記載の内視鏡用フィルムの包装体。
【００６１】
（付記項１３）  前記ケース本体は前記各フィルム収納部における前記フィルム出し入れ口の周縁部位の各角部に曲面状の面取り部が形成され、かつ前記蓋体は前記ケース本体の面取り部と対応する位置に前記ケース本体の面取り部とは異なる大きさの面取り部が形成されたものであることを特徴とする付記項１２に記載の内視鏡用フィルムの包装体。
【００６２】
（付記項１４）  前記蓋体は前記ケース本体の面取り部よりも大きい面取り部が形成されたものであることを特徴とする付記項１３に記載の内視鏡用フィルムの包装体。
【００６３】
（付記項１５）  前記ケース本体は前記蓋体の面取り部よりも大きい面取り部が形成されたものであることを特徴とする付記項１３に記載の内視鏡用フィルムの包装体。
【００６４】
（付記項１６）  前記外箱は上面が開口された紙、ダンボール等からなる箱本体を備え、この箱本体に前記上面開口部を閉塞する上蓋部が設けられているとともに、前記箱本体の上面開口部を前記上蓋部によって閉塞した際に、前記箱本体に接着される接着部が前記上蓋部の先端部に設けられ、かつ前記箱本体における前記上蓋部の先端接着部との接着面に前記箱本体を形成する紙、ダンボールを貫通しない切り込み部が複数設けられたものであることを特徴とする付記項１に記載の内視鏡用フィルムの包装体。
【００６５】
（付記項１７）  前記外箱はその表面に前記外箱の送付時に使用する宛先の記入欄を設けたものであることを特徴とする付記項１に記載の内視鏡用フィルムの包装体。
【００６６】
（付記項１８）  前記外箱は前記上蓋部の端部に前記上蓋部を開封するための手掛け用の折り目を設けたものであることを特徴とする付記項１６に記載の内視鏡用フィルムの包装体。
【００６７】
（付記項１９）  前記フィルムケースは前記フィルム収納部が縦に２個、横に６組並んだものであることを特徴とする付記項５に記載の内視鏡用フィルムの包装体。
【００６８】
【発明の効果】
本発明によれば外箱の内底部から複数の封筒、係合凸部を上向きに配置された状態の第２の蓋体、上面に第１の蓋体を有するフィルムケースの順に、各内容物を外箱内に順次収納したので、外箱の開封前は上向きに配置された第２の蓋体の複数の係合凸部間にフィルムケースの各フィルム収納部の底部を配置させることにより、外箱内への内容物の収納時に内容物の重なりの高さを低くして外箱全体の大きさを小さくできる。また、大量にフィルムを使用する場合であっても未使用フィルムをパッケージから取出す作業を容易化することができるとともに、使用済みフィルムの搬送作業を容易化することができる。
【図面の簡単な説明】
【図１】本発明の第１の実施例の内視鏡用フィルムの包装体全体の概略構成を示す斜視図。
【図２】包装体の外箱内に各内容物が収納された状態を示す縦断面図。
【図３】（Ａ）はフィルムケースと蓋体との分離状態を示す斜視図、（Ｂ）はフィルムケースのフィルム出し入れ口の周縁部位に形成された嵌合凹部の側壁の傾斜状態を示す要部の縦断面図、（Ｃ）は包装体の外箱の上蓋部が開かれた状態を示す斜視図、（Ｄ）は包装体の外箱の上蓋部が閉じられた状態を示す斜視図。
【図４】（Ａ）はフィルムケースの変形例を示す斜視図、（Ｂ）はフィルムケースの蓋体の変形例を示す斜視図。
【図５】本発明の第２の実施例の要部構成を示す斜視図。
【図６】第２の実施例のフィルムケースと蓋体との分離状態を示す斜視図。
【図７】（Ａ）は第２の実施例のフィルムケースのフィルム出し入れ口に蓋体が係合された使用済みフィルムのパッキング容器を示す斜視図、（Ｂ）は使用済みフィルムのパッキング容器の変形例を示す斜視図。
【図８】本発明の第３の実施例の要部構成を示す斜視図。
【符号の説明】
１…内視鏡用フィルム、３…化粧箱（外箱）、６…フィルムケース、６ａ…フィルム出し入れ口、７…蓋体、８…封筒。
【図１】
0003576195.tif 000002
【図２】
0003576195.tif 000003
【図３】
0003576195.tif 000004
【図４】
0003576195.tif 000005
【図５】
0003576195.tif 000006
【図６】
0003576195.tif 000007
【図７】
0003576195.tif 000008
【図８】
0003576195.tif 000009